(57)【要約】【課題】  遺体の出し入れ作業を容易且つスムーズに行うことができる遺体保管庫の提供。【解決手段】  本発明に係る遺体保管庫は、直方体箱状の本体の内部に遺体保管室を備え、該遺体保管室の長手方向の一端部に設けた出入口から同長手方向に沿って遺体の出し入れが可能な遺体保管庫であって、上記遺体保管室の床部の上記出入口近傍の床部分を上記出入口から引出可能な可動床とすると共に残りの床部分を固定床とし、該固定床に上記遺体保管室の長手方向に沿って延び且つ一定の間隔を置いて並列した一対の固定コンベアを設けると共に、上記可動床を当該可動床の引出時に荷重を受ける台座部と、該台座部から上記一対の固定コンベアの並列間隔内に向けて延設されたスペーサー部とで構成し、上記台座部に上記各固定コンベアとそれぞれ対応する一対の可動コンベアを上記遺体保管室の長手方向に沿って設けることを特徴とする。【選択図】  図５
2020065758.tif 000002
【特許請求の範囲】
【請求項１】
直方体箱状の本体の内部に遺体保管室を備え、該遺体保管室の長手方向の一端部に設けた出入口から同長手方向に沿って遺体の出し入れが可能な遺体保管庫であって、上記遺体保管室の床部の上記出入口近傍の床部分を上記出入口から引出可能な可動床とすると共に残りの床部分を固定床とし、該固定床に上記遺体保管室の長手方向に沿って延び且つ一定の間隔を置いて並列した一対の固定コンベアを設けると共に、上記可動床を当該可動床の引出時に荷重を受ける台座部と、該台座部から上記一対の固定コンベアの並列間隔内に向けて延設されたスペーサー部とで構成し、上記台座部に上記各固定コンベアとそれぞれ対応する一対の可動コンベアを上記遺体保管室の長手方向に沿って設けたことを特徴とする遺体保管庫。
【請求項２】
上記可動床のスペーサー部に上記固定コンベアと上記可動コンベアを補助する補助コンベアを上記遺体保管室の長手方向に沿って設けたことを特徴とする請求項１記載の遺体保管庫。
【請求項３】
上記可動床の台座部は、上記一対の可動コンベアと、該各可動コンベアの内側フレーム及び外側フレームと直交し該各内外側フレームの長手方向の一端部と連結する第一フレームと、該第一フレームと平行し上記各内外側フレームの長手方向の他端部と連結する第二フレームとから成り、上記一対の可動コンベアの並列間隔内に上記遺体保管室の長手方向に沿った一対の補強フレームを設けたことを特徴とする請求項１又は請求項２に記載の遺体保管庫。
【請求項４】
上記可動床のスペーサー部は、一定の間隔を置いて並列して設けた一対の上記補助コンベアと、該各補助コンベアの内側フレーム及び外側フレームの長手方向の一端部と連結する上記第二フレームと、該第二フレームと平行し上記各内外側フレームの長手方向の他端部と連結する第三フレームとから成り、上記台座部の各補強フレームと、上記各補助コンベアの内側フレームとが芯ズレしていることを特徴とする請求項３記載の遺体保管庫。
【請求項５】
上記固定コンベア、上記可動コンベア及び上記補助コンベアがローラーコンベアであることを特徴とする請求項２記載の遺体保管庫。
【発明の詳細な説明】
【技術分野】
【０００１】
本発明は、葬儀場等で遺体を個別に保管する際に用いる遺体保管庫に関するものである。
【背景技術】
【０００２】
近年、亡くなる人に比して火葬場の数が足らず、数日間、場合によってはそれ以上の期間に亘って遺体を保管する必要が生じている。葬儀場等では複数の遺体を保管する必要があり、個々の遺体を別々に保管しつつ遺族との面会や葬儀等に対応せねばならない。
【０００３】
そこで、移動可能な直方体箱状の本体の内部に一人用の遺体保管室を備え、該遺体保管室に保冷機能や脱臭機能を付加した遺体保管庫が種々開発され、腐敗を防止しつつ個別に遺体を保管する要望に応えている。
【０００４】
しかし、遺体保管庫への遺体の出し入れ作業は人力で行うのが通常であるところ、遺体の重量は勿論のこと、遺体を載せたトレイや遺体を収容した棺桶等の遺体搬送用器具の重量も加味して考えると相当の重量となる。よって、遺体の出し入れ作業は当然に重労働となり、多大な作業負担を強いられる。
【０００５】
作業負担を軽減するために、遺体保管室の出入口の手前で、一旦、遺体搬送用器具を含めた遺体の荷重を受けることができる台座があると、容易に遺体保管室内へ遺体を挿入することができる。逆に遺体保管室から遺体を出す場合も、出入口の手前に台座があれば、遺体搬送用器具を含めた遺体を持ち上げやすくなり、同様に作業負担が大幅に軽減される。
【０００６】
そして、収納可能な台座を有する遺体保管庫として、例えば、下記特許文献１に示すように、遺体保管室の床全体をスライド台で構成し、該スライド台の一部を出入口から引き出すことにより、当該引き出した部分を台座として利用できる遺体保管庫が開発されている。
【先行技術文献】
【特許文献】
【０００７】
【特許文献１】特開平１０−３２８２５５号公報
【発明の概要】
【発明が解決しようとする課題】
【０００８】
上記特許文献１の遺体保管庫によれば、遺体の出し入れ作業時のみにスライド台の一部を台座として有効利用できる利点を有するが、スライド台が遺体保管室の床部そのものを兼ねているので、結局、遺体の出し入れ作業時にはスライド台の上で遺体搬送用器具（トレイや棺桶等）を摺動させなければならない問題点を有している。
【０００９】
また、上記特許文献１の遺体保管庫にあっては、スライド台が出入口より外方に過度に引き出されると、遺体保管庫と遺体搬送用器具を含めた遺体との重量バランスが崩れるので、予めスライド台の引出量を調整せねばならない問題点をも有している。
【課題を解決するための手段】
【００１０】
本発明は斯かる従来の遺体保管庫の問題点を有効に解決し、遺体の出し入れ作業を容易且つスムーズに行うことができる遺体保管庫を提供する。
【００１１】
要述すると、直方体箱状の本体の内部に遺体保管室を備え、該遺体保管室の長手方向の一端部に設けた出入口から同長手方向に沿って遺体の出し入れが可能な遺体保管庫であって、上記遺体保管室の床部の上記出入口近傍の床部分を上記出入口から引出可能な可動床とすると共に残りの床部分を固定床とし、該固定床に上記遺体保管室の長手方向に沿って延び且つ一定の間隔を置いて並列した一対の固定コンベアを設けると共に、上記可動床を当該可動床の引出時に荷重を受ける台座部と、該台座部から上記一対の固定コンベアの並列間隔内に向けて延設されたスペーサー部とで構成し、上記台座部に上記各固定コンベアとそれぞれ対応する一対の可動コンベアを上記遺体保管室の長手方向に沿って設ける。当該構成により、上記可動床の台座部で適切に作業負担を軽減することができると共に、上記固定コンベア及び上記可動コンベヤでスムーズに遺体を出し入れすることができる。また、上記可動床のスペーサー部が該可動床の引出時に上記各可動コンベアと上記各固定コンベアの離間間隔内に介在して、スムーズな遺体の出し入れを補完する。
【００１２】
好ましくは、上記可動床のスペーサー部に上記固定コンベアと上記可動コンベアを補助する補助コンベアを設け、さらにスムーズな遺体の出し入れを実現する。
【００１３】
また、上記可動床の台座部は、上記一対の可動コンベアと、該各可動コンベアの内側フレーム及び外側フレームと直交し該各内外側フレームの長手方向の一端部と連結する第一フレームと、該第一フレームと平行し上記各内外側フレームの長手方向の他端部と連結する第二フレームとから成り、上記一対の可動コンベアの並列間隔内に上記遺体保管室の長手方向に沿った一対の補強フレームを設けたことにより、簡易構造且つ軽量構造ながら適切に荷重を受けることができる上記台座部を構成することができる。
【００１４】
また、上記可動床のスペーサー部は、一定の間隔を置いて並列して設けた一対の上記補助コンベアと、該各補助コンベアの内側フレーム及び外側フレームの長手方向の一端部と連結する上記第二フレームと、該第二フレームと平行し上記各内外側フレームの長手方向の他端部と連結する第三フレームとから成り、上記台座部の各補強フレームと、上記各補助コンベアの内側フレームとが芯ズレしている構成とすることにより、上記台座部と上記スペーサー部を強固に連結することができる。
【００１５】
好ましくは、上記固定コンベア、上記可動コンベア及び上記補助コンベアとして、ローラーコンベアを用いる。
【発明の効果】
【００１６】
本発明に係る遺体保管庫によれば、遺体保管室の出入口から引き出せる可動床の台座部で適切に作業負担を軽減することができると共に、固定床の固定コンベア及び可動床の可動コンベヤでスムーズに遺体を出し入れすることができる。
【００１７】
また、可動床のスペーサー部が該可動床の引出時に各可動コンベアと各固定コンベアの離間間隔内に介在して、スムーズな遺体の出し入れを補完する。さらに、当該スペーサー部に補助コンベアを設ければ、よりスムーズな遺体の出し入れを実現することができる。
【図面の簡単な説明】
【００１８】
【図１】本発明に係る遺体保管庫を一部断面して示す側面図である。
【図２】本発明に係る遺体保管庫を一部断面して示す平面図である。
【図３】可動床の引出時の側面図である。
【図４】可動床の引出時の平面図である。
【図５】可動床の引出時の斜視図である。
【発明を実施するための形態】
【００１９】
以下、図１乃至図５に基づき、本発明に係る遺体保管庫の最適な実施例について、説明する。
【００２０】
本発明に係る遺体保管庫は、図１，図２に示すように、直方体箱状の本体１の内部に遺体保管室２を備え、該遺体保管室２の長手方向の一端部に設けた出入口３から同長手方向に沿って遺体の出し入れが可能な遺体保管庫である。本体１は保冷用装置や脱臭用装置等の装置を内蔵した筐体４上に配設されており、該筐体４の底部に複数のキャスター５を設け、遺体保管庫全体を自由に移動できるようになっている。
【００２１】
また、図中の１０は遺体保管室２の出入口３を開閉する扉であり、保冷や脱臭のために気密性を確保して出入口３を閉じることができる。望ましくは、図２に示すように、扉１０は観音開き式として、コンパクトに開閉できるようにする。加えて、各扉１０の外表面が本体１の先端面と面一となるように調整して各扉１０を軸支する。
【００２２】
遺体保管室２は、図１，図２に示すように、一人分の遺体を保管できる直方体状の空間を画成しており、床部６の出入口３近傍の床部分を当該出入口３から引出可能な可動床６Ａとすると共に残りの床部分を固定床６Ｂとする構成となっている。すなわち、床部６の長手方向の一端側の部分を可動床６Ａとし、その余の床部６を固定床６Ｂとして分割して構成する。
【００２３】
固定床６Ｂには、遺体保管室２の長手方向に沿って延び且つ一定の間隔を置いて並列した一対の固定コンベア７を設ける。固定コンベア７は、図３に示す遺体搬送用器具Ｃ、つまり遺体を寝具等を介して載せたトレイや遺体を収容した棺桶等を遺体保管室２の奥へ導くことができれば、ベルトコンベア、ローラーコンベア又はチェーンコンベア等の既知のコンベアを用いることができるが、好ましくは、ローラーコンベアを用い、簡便且つ確実に遺体搬送用器具を導くようにする。
【００２４】
本実施例においては、固定コンベア７として、ローラーコンベアを用いた例を示している。固定コンベア７が備えるローラー７ａは、内側フレーム７ｂ及び外側フレーム７ｃで固定された車軸によって軸支されており、可及的に車軸を上方に設けてローラー７ａの露出する高さを確保することが望ましい。遺体搬送用器具を円滑に搬送して遺体の出し入れ作業をスムーズにするためである。また、ローラー７ａの幅は、遺体搬送用具を円滑に搬送できる幅であれば、特に限定はなく、適宜調整することができる。
【００２５】
可動床６Ａは、当該可動床６Ａの引出時に遺体及び遺体搬送用具の荷重を受ける台座部６Ａａと、該台座部６Ａａから既述の一対の固定コンベア７の並列間隔内に向けて延設されたスペーサー部６Ａｂとで構成する。よって、スペーサー部６Ａｂは、遺体保管室２の長手方向の他端側に向けて突出するように延設されており、図１，図２に示すように、可動床６Ａの収納時には固定床６Ｂの固定コンベア７間の並列間隔内に収容される。他方、図３乃至図５に示すように、可動床６Ａの引出時には当該可動床６Ａと固定床６Ｂが離間した間隔内に介在することとなり、遺体の出し入れ作業を補助する。
【００２６】
また、可動床６Ａの台座部６Ａａには、既述の各固定コンベア７とそれぞれ対応する一対の可動コンベア８を設ける。換言すると、台座部６Ａａに設けられる一対の可動コンベア８は、固定床６Ｂに設けられた一対の固定コンベア７と同一の並列間隔で同一方向に並列して設けられ、図１，図２に示すように、可動床６Ａの収納時には各固定コンベア７と各可動コンベア８とが連通し、遺体保管室２の長手方向の一端部から他端部まで連続した搬送手段が構築される。
【００２７】
また、可動床６Ａのスペーサー部６Ａｂには、好ましくは遺体保管室２の長手方向に沿って補助コンベア９を設ける。スペーサー部６Ａｂは、可動床６Ａの引出時には、図３〜５に示すように、固定床６Ｂの固定コンベア７と可動床６Ａの可動コンベア８間の離間間隔内に介在し、このように補助コンベア９を設けることにより、遺体を入れる作業時には該補助コンベア９が可動コンベア８上を搬送された遺体搬送用器具を確実に固定コンベア７上へ導くことができ、効果的に作業を補助すると共に、反対に遺体を出す作業時には補助コンベア９が固定コンベア７上を搬送された遺体搬送用器具を確実に可動コンベア８上へ導くことができ、同様に作業補助を行うことができる。
【００２８】
なお、可動コンベア８も補助コンベア９も、固定コンベア７と同様に、ベルトコンベア、ローラーコンベア又はチェーンコンベア等の既知のコンベアを用いることができるが、好ましくは、ローラーコンベアを用いる。本実施例においては、可動コンベア８及び補助コンベア９として、ローラーコンベアを用いた例を示している。可動コンベア８が備えるローラー８ａは、内側フレーム８ｂ及び外側フレーム８ｃで固定された車軸によって軸支されており、同様に、補助コンベア９が備えるローラー９ａは、内側フレーム９ｂ及び外側フレーム９ｃで固定された車軸によって軸支されている。これらローラー８ａ，ローラー９ａも、可及的に車軸を上方に設けて、露出する高さを確保することが望ましく、ローラーの幅は、遺体搬送用具を円滑に搬送できる幅であれば、特に限定はなく、適宜調整することができるが、特にローラー８ａについては、露出する高さとローラー幅を固定コンベア７のローラー７ａと一致させることが望ましい。
【００２９】
また、可動床６Ａは、簡易構造且つ軽量構造とするために、図２，図４，図５に示すように、フレーム体で構成するのが望ましい。
【００３０】
詳述すると、可動床６Ａの台座部６Ａａは、既述の一対の可動コンベア８と、該各可動コンベア８の内側フレーム８ｂ及び外側フレーム８ｃと直交し該各内外側フレーム８ｂ，８ｃの長手方向の一端部、つまり遺体保管室２の長手方向における出入口３側の端部と連結する第一フレーム１１と、該第一フレーム１１と平行し上記各内外側フレーム８ｂ，８ｃの長手方向の他端部と連結する第二フレーム１２とから成り、一対の可動コンベア８の並列間隔内に遺体保管室２の長手方向に沿った一対の補強フレーム１４を設ける構成となっている。
【００３１】
加えて、可動床６Ａのスペーサー部６Ａｂは、一定の間隔を置いて並列して設けた一対の補助コンベア９と、該各補助コンベア９の内側フレーム９ｂ及び外側フレーム９ｃの長手方向の一端部、つまり遺体保管室２の長手方向における出入口３側の端部と連結する、既述の第二フレーム１２と、該第二フレーム１２と平行し上記各内外側フレーム９ｂ，９ｃの長手方向の他端部と連結する第三フレーム１３とから成る構成となっており、既述した台座部６Ａａの各補強フレーム１４と、各補助コンベア９の内側フレーム９ｂとが芯ズレしている構成とする。
【００３２】
よって、可動床６Ａは、第二フレーム１２を台座部６Ａａとスペーサー部６Ａｂの共通フレームとし、各可動コンベア８の内側フレーム８ｂ及び外側フレーム８ｃと、第一，第二フレーム１１，１２とで台座部６Ａａを構成し、各補助コンベア９の内側フレーム９ｂ及び外側フレーム９ｃとでスペーサー６Ａｂを構成し、簡易構造且つ軽量構造ながらも、適切に荷重を受けることができる台座部６Ａａを構成することができる。
【００３３】
また、台座部６Ａａの各補強フレーム１４と、スペーサー部６Ａｂにおける各補助コンベア９の内側フレーム９ｂとが芯ズレしていることにより、共通フレームたる第二フレーム１２を確実に補強することができる。当該芯ズレは、補強フレーム１４と内側フレーム９ｂの軸がずれていればよい。
【００３４】
なお、補助コンベア９は、本実施例のように、並列して二列設けることができる他、一列とすることや、二列以上の複数列設けることも実施に応じ任意である。また、図中の１５は可動床６Ａを操作するための把手、同１６は可動床６Ａの引出時に遺体搬送用器具が不用意に飛び出すことを防止するストッパであり、該ストッパ１６は着脱可能であり、遺体を入れる作業時には取り外すことができる。
【００３５】
以上のとおり、本発明に係る遺体保管庫においては、遺体保管室２の床部６を出入口３から引出可能で且つ遺体保管室２内に収納可能な可動床６Ａと、固定床６Ｂとに分割して構成し、可動床６Ａの一部を台座部６Ａａとすることにより、遺体の出し入れ作業の負担を大幅に軽減する。
【００３６】
加えて、可動床６Ａと固定床６Ｂに遺体及び遺体搬送用器具の搬送手段たる可動コンベア８及び固定コンベア７をそれぞれ配設し、遺体の出し入れ作業をスムーズに行えるようにする。
【００３７】
また、可動床６Ａの一部をスペーサー部６Ａｂとして当該可動床６Ａの引出時に固定コンベア７と可動コンベア８との離間間隔内に介在配置させることにより、遺体搬送用器具が不用意に落ち込むのを防止すると共に、固定コンベア７と可動コンベア８間との橋渡しを的確に行うことができ、遺体の出し入れ作業を補完する。加えて、スペーサー部６Ａｂに補助コンベア９を配設することによって、よりスムーズに遺体の出し入れ作業を補完することができる。
【符号の説明】
【００３８】
１…本体、２…遺体保管室、３…出入口、４…筐体、５…キャスター、６…遺体保管室の床部、６Ａ…可動床、６Ｂ…固定床、６Ａａ…台座部、６Ａｂ…スペーサー部、７…固定コンベア、７ａ…ローラー、７ｂ…内側フレーム、７ｃ…外側フレーム、８…可動コンベア、８ａ…ローラー、８ｂ…内側フレーム、８ｃ…外側フレーム、９…補助コンベア、９ａ…ローラー、９ｂ…内側フレーム、９ｃ…外側フレーム、１０…扉、１１…第一フレーム、１２…第二フレーム、１３…第三フレーム、１４…補強フレーム、１５…把手、１６…ストッパ、Ｃ…搬送用器具。
【図１】
2020065758.tif 000003
【図２】
2020065758.tif 000004
【図３】
2020065758.tif 000005
【図４】
2020065758.tif 000006
【図５】
2020065758.tif 000007